【手続補正書】
【提出日】平成26年3月17日(2014.3.17)
【手続補正１】
【補正対象書類名】特許請求の範囲
【補正対象項目名】全文
【補正方法】変更
【補正の内容】
【特許請求の範囲】
【請求項１】
接触情報を検出する複数のタッチパネルと、
複数の前記タッチパネルにより検出された前記接触情報を１つのタッチパネルにより検出された接触情報として、所定の処理を実行するように制御する制御部と
を備える情報処理装置。
【請求項２】
前記接触情報を取得する取得部
をさらに備え、
前記取得部は、複数の前記タッチパネルにより検出された前記接触情報の総和が最大検出数を越えた場合、前記最大検出数以下の数の前記接触情報を取得し、
前記制御部は、前記取得部により取得された、前記最大検出数以下の数の前記接触情報に基づいて、前記所定の処理を実行するように制御する
請求項１に記載の情報処理装置。
【請求項３】
前記取得部は、複数の前記タッチパネルにより検出された前記接触情報を先に触れられた順番に順次取得する
請求項２に記載の情報処理装置。
【請求項４】
複数の前記タッチパネルは、第１のタッチパネルと第２のタッチパネルから構成され、
前記制御部は、
前記第１のタッチパネルの前記接触情報の数が変化した場合、前記第１のタッチパネルの前記接触情報の数を調整し、
前記第１のタッチパネルの前記接触情報の数が変化した場合、前記第２のタッチパネルの前記接触情報の数を調整する
請求項１乃至３のいずれかに記載の情報処理装置。
【請求項５】
前記最大検出数は、前記第１のタッチパネルの最大検出数と前記第２のタッチパネルの最大検出数のうち小さい方が設定される
請求項２乃至４のいずれかに記載の情報処理装置。
【請求項６】
接触情報を検出する複数のタッチパネルを備える情報処理装置の情報処理方法であって、
複数の前記タッチパネルにより検出された前記接触情報を１つのタッチパネルにより検出された接触情報として、所定の処理を実行する制御ステップ
を含む情報処理方法。
【請求項７】
接触情報を検出する複数のタッチパネルを備える情報処理装置を制御するコンピュータに、
複数の前記タッチパネルにより検出された前記接触情報を１つのタッチパネルにより検出された接触情報として、所定の処理を実行する制御ステップ
を実行させるためのプログラムを記録したコンピュータ読み取り可能な記録媒体。
【請求項８】
接触情報を検出する複数のタッチパネルを備える情報処理装置を制御するコンピュータに、
複数の前記タッチパネルにより検出された前記接触情報を１つのタッチパネルにより検出された接触情報として、所定の処理を実行する制御ステップ
を実行させるためのプログラム。
【請求項９】
接触を検出する複数のタッチ入力デバイスにより生成された接触情報に基づき、所定の処理を実行する制御部を備え、
前記制御部は、
ユーザによる一又は複数の接触位置を示す第一の位置情報を含む第一の接触情報を、第一のタッチ入力デバイスから取得し、
前記ユーザによる一又は複数の接触位置を示す第二の位置情報を含む第二の接触情報を、第二のタッチ入力デバイスから取得し、
前記第一および第二の接触情報に基づき、前記第一および第二の位置情報を、１つのタッチ入力デバイスにより検出された位置として特定し、
前記検出された位置に対応する画像を表示部に表示させる
情報処置装置。
【請求項１０】
前記第一の接触情報は前記第一のタッチ入力デバイスを特定する情報を含み、
前記第二の接触情報は前記第二のタッチ入力デバイスを特定する情報を含む
請求項９に記載の情報処理装置。
【請求項１１】
前記第一の位置情報は前記第一のタッチ入力デバイス上の接触位置の座標を含み、
前記第二の位置情報は前記第二のタッチ入力デバイス上の接触位置の座標を含む
請求項９または１０のいずれかに記載の情報処理装置。
【請求項１２】
前記第一のタッチ入力デバイス上の接触情報は、前記第一のタッチ入力デバイス上で接触された順番に対応する第一の時刻情報を含み、
前記第二のタッチ入力デバイス上の接触情報は、前記第二のタッチ入力デバイス上で接触された順番に対応する第二の時刻情報を含む
請求項９乃至１１のいずれかに記載の情報処置装置。
【請求項１３】
前記制御部は、前記第一および第二の時刻情報に基づいて、前記第一および第二の位置情報を、１つのタッチ入力デバイスにより検出された位置として特定する
請求項１２に記載の情報処理装置。
【請求項１４】
前記制御部は、前記検出された位置の数が所定の数以下であるか否かを判定する
請求項９乃至１３のいずれかに記載の情報処理装置。
【請求項１５】
前記第一のタッチ入力デバイスと、
前記第二のタッチ入力デバイスと、
請求項９乃至１４のいずれかに記載の情報処理装置。
【請求項１６】
前記表示部をさらに備える
請求項９乃至１５のいずれかに記載の情報処理装置。
【手続補正２】
【補正対象書類名】明細書
【補正対象項目名】００１０
【補正方法】変更
【補正の内容】
【００１０】
本開示の第１の側面の情報処理装置は、接触情報を検出する複数のタッチパネルと、複数の前記タッチパネルにより検出された前記接触情報を１つのタッチパネルにより検出された接触情報として、所定の処理を実行するように制御する制御部とを備える。
【手続補正３】
【補正対象書類名】明細書
【補正対象項目名】００１２
【補正方法】変更
【補正の内容】
【００１２】
前記取得部は、複数の前記タッチパネルにより検出された前記接触情報を先に触れられた順番に順次取得することができる。
【手続補正４】
【補正対象書類名】明細書
【補正対象項目名】００１３
【補正方法】変更
【補正の内容】
【００１３】
複数の前記タッチパネルは、第１のタッチパネルと第２のタッチパネルから構成され、前記制御部は、前記第１のタッチパネルの前記接触情報の数が変化した場合、前記第１のタッチパネルの前記接触情報の数を調整し、前記第１のタッチパネルの前記接触情報の数が変化した場合、前記第２のタッチパネルの前記接触情報の数を調整することができる。
【手続補正５】
【補正対象書類名】明細書
【補正対象項目名】００１５
【補正方法】変更
【補正の内容】
【００１５】
本開示の第１の側面の情報処理方法は、複数のタッチパネルにより検出された接触情報を１つのタッチパネルにより検出された接触情報として、所定の処理を実行する制御ステップを含む。
【手続補正６】
【補正対象書類名】明細書
【補正対象項目名】００１６
【補正方法】変更
【補正の内容】
【００１６】
本開示の第１の側面の記録媒体、またはプログラムは、接触情報を検出する複数のタッチパネルを備える情報処理装置を制御するコンピュータに、複数の前記タッチパネルにより検出された前記接触情報を１つのタッチパネルにより検出された接触情報として、所定の処理を実行する制御ステップを実行させるためのプログラムを記録したコンピュータ読み取り可能な記録媒体、またはプログラムである。
本開示の第２の側面の情報処理装置は、接触情報を検出する複数のタッチ入力デバイスにより生成された前記接触情報に基づき、所定の処理を実行する制御部を備え、前記制御部は、ユーザによる一又は複数の接触位置を示す第一の位置情報を含む第一の接触情報を、第一のタッチ入力デバイスから取得し、前記ユーザによる一又は複数の接触位置を示す第二の位置情報を含む第二の接触情報を、第二のタッチ入力デバイスから取得し、前記第一および第二の接触情報に基づき、前記第一および第二の位置情報を、１つのタッチ入力デバイスにより検出された位置として特定し、前記検出された位置に対応する画像を表示部に表示させる。
前記第一の接触情報には前記第一のタッチ入力デバイスを特定する情報を含ませるようにすることができ、前記第二の接触情報には前記第二のタッチ入力デバイスを特定する情報を含ませるようにすることができる。
前記第一の位置情報には前記第一のタッチ入力デバイス上の接触位置の座標を含ませるようにすることができ、前記第二の位置情報には前記第二のタッチ入力デバイス上の接触位置の座標を含ませるようにすることができる。
前記第一のタッチ入力デバイス上の接触情報には、前記第一のタッチ入力デバイス上で接触された順番に対応する第一の時刻情報を含ませるようにすることができ、前記第二のタッチ入力デバイス上の接触情報には、前記第二のタッチ入力デバイス上で接触された順番に対応する第二の時刻情報を含ませるようにすることができる。
前記制御部には、前記第一および第二の時刻情報に基づいて、前記第一および第二の位置情報を、１つのタッチ入力デバイスにより検出された位置として特定させるようにすることができる。
前記制御部には、前記検出された位置の数が所定の数以下であるか否かを判定させるようにすることができる。
前記第一のタッチ入力デバイスと、前記第二のタッチ入力デバイスと、前記表示部をさらに設けるようにさせることができる。
【手続補正７】
【補正対象書類名】明細書
【補正対象項目名】００１７
【補正方法】変更
【補正の内容】
【００１７】
本開示の第１の側面においては、複数のタッチパネルにより検出された接触情報を１つのタッチパネルにより検出された接触情報として、所定の処理が実行される。
本開示の第２の側面においては、接触情報を検出する複数のタッチ入力デバイスにより生成された前記接触情報に基づき、所定の処理が実行され、ユーザによる一又は複数の接触位置を示す第一の位置情報を含む第一の接触情報が、第一のタッチ入力デバイスから取得され、前記ユーザによる一又は複数の接触位置を示す第二の位置情報を含む第二の接触情報が、第二のタッチ入力デバイスから取得され、前記第一および第二の接触情報に基づき、前記第一および第二の位置情報が、１つのタッチ入力デバイスにより検出された位置として特定され、前記検出された位置に対応する画像が表示部に表示される。
【手続補正８】
【補正対象書類名】明細書
【補正対象項目名】０２２８
【補正方法】削除
【補正の内容】